(57)【要約】【課題】床上の配管の先端部を浴室床パンの配管用貫通孔から浴室床パン上方へ引き出すのを容易にすること。【解決手段】配管１０が配置された床上に設置されて浴室床パン１を支持する床パン支持部３と、配管１０の先端部１０ａを浴室床パン１に設けた配管用貫通孔２に対応した下方位置で仮支持するための配管仮支持手段４とを備えた枠体６０である。【選択図】図１
2010144488.tif 000002
【特許請求の範囲】
【請求項１】
床上に沿って配置した配管を通す配管用貫通孔が設けられた浴室床パンを支持する浴室床パン支持用枠体であって、配管が配置された床上に設置されて浴室床パンを支持する床パン支持部と、上記配管の先端部を浴室床パンに設けた配管用貫通孔に対応した下方位置で仮支持するための配管仮支持手段とを備えることを特徴とする浴室床パン支持用枠体。
【請求項２】
上記配管仮支持手段は、床パン支持部側に固定され、床上から立ち上げ配管される非可撓性配管の上端部が垂直に貫通する上下に開口した筒状部で構成されていることを特徴とする請求項１記載の浴室床パン支持用枠体。
【請求項３】
上記配管仮支持手段は、床パン支持部側に固定され、床上に転がし配管される可撓性配管の先端部に結束される配管固定用バンドと、浴室床パンの配管用貫通孔の上方から該配管固定用バンドの結束解除を可能にするバンド結束具とで構成されていることを特徴とする請求項１記載の浴室床パン支持用枠体。
【請求項４】
上記配管仮支持手段は、床パン支持部側に固定され、床上に転がし配管される可撓性配管の先端部が上方から引っ掛け支持される配管固定用フックで構成されていることを特徴とする請求項１記載の浴室床パン支持用枠体。
【発明の詳細な説明】
【技術分野】
【０００１】
本発明は、浴室床パンを支持する浴室床パン支持用枠体に関し、詳しくは床上の配管の先端部を浴室床パンの配管用貫通孔から引き出しやすくする技術に関するものである。
【背景技術】
【０００２】
従来から、ユニットバスの配管施工において、床上から立ち上げた給水・給湯・追焚等の配管の上端部を、浴槽床パンに設けた配管用貫通孔を通して浴槽床パン上方へ引き出して、浴槽床パンの上方で配管の接続を行なう工法が一般に知られている。
【０００３】
しかし、浴槽床パンの施工時において浴槽床パンの上方から配管用貫通孔と配管の立ち上げ位置とを位置合わせして、浴槽床パンを据え付けるようにしているが、浴槽床パンの上方から配管の立ち上げ位置と配管用貫通孔との位置合わせが困難であり、そのうえ浴槽床パンを設置した後で、配管用貫通孔と配管の上端部との位置が合わないことがあり、そのため事前に詳細な寸法取りが必要になるなど、浴槽床パンの施工に多大な手間がかかる。
【０００４】
そこで、従来より、浴槽床パンに配管用貫通孔よりも大きな開口部を予め形成しておき、浴槽床パンの設置後に、蓋板で開口部を塞ぐようにしている（例えば、特許文献１参照）。
【０００５】
ところが従来では、図１２に示すように、浴槽床パン１に大きな開口部５０を必要とするため、施工後に蓋板５２によって大きな開口部５０を閉鎖する必要が生じる。そのうえ、床上の配管１０が立ち上げられる非可撓性配管ではなく、転がし配管される可撓性配管の場合は、例えば、浴槽床パン１の施工後に、開口部５０から腕を差し込んで可撓性配管の先端部を手繰り寄せて浴槽床パン１上方に引き上げるようにしたり、或いは、開口部５０の近くに設けられる大型の点検口５１から腕を差し込んで可撓性配管の先端部を開口部５０から引き上げるようにしている。このため、従来では大きな開口部５０や大型の点検口５１を必要とし、浴槽床パン１の設計自由度が大きく制約されるという問題がある。さらに開口部５０の近くに大型の点検口５１がない場合もある。
【特許文献１】特開２０００−２６６２７１号公報
【発明の開示】
【発明が解決しようとする課題】
【０００６】
本発明は上記の従来の問題点に鑑みて発明したものであって、その課題とするところは、床上に沿って配置した配管の先端部を浴室床パンに設けた配管用貫通孔を通して浴室床パン上方へ引き出すのが容易となり、これにより施工性が大幅に向上すると共に、浴室床パンの設計の自由度を飛躍的に向上させることができる浴室床パン支持用枠体を提供することにある。
【課題を解決するための手段】
【０００７】
前記の課題を解決するために、本発明は、床上に沿って配置した配管１０を通す配管用貫通孔２が設けられた浴室床パン１を支持する浴室床パン支持用枠体であって、配管１０が配置された床上に設置されて浴室床パン１を支持する床パン支持部３と、上記配管１０の先端部１０ａを浴室床パン１に設けた配管用貫通孔２に対応した下方位置で仮支持するための配管仮支持手段４とを備えていることを特徴としている。
【０００８】
このような構成とすることで、浴室床パン１を枠体６０の床パン支持部３上に据え付けるだけで、仮支持された配管１０の先端部が必ず浴室床パン１の配管用貫通孔２の真下に位置するようになり、配管用貫通孔２の上方への引き上げが容易となる。
【０００９】
また、上記配管仮支持手段４は、床パン支持部３側に固定され、床上から立ち上げ配管される非可撓性配管１０Ａの上端部が垂直に貫通する上下に開口した筒状部５で構成されているのが好ましく、この場合、簡易な筒形構造で非可撓性配管１０Ａの仮支持が可能となり、施工途中で配管の立ち上げ位置が変動することもない。
【００１０】
また、上記配管仮支持手段４は、床パン支持部３側に固定され、床上に転がし配管される可撓性配管１０Ｂの先端部に結束される配管固定用バンド６と、浴室床パン１の配管用貫通孔２の上方から該配管固定用バンド６の結束解除を可能にするバンド結束具７とで構成されているのが好ましく、この場合、可撓性配管１０Ｂの先端部を配管固定用バンド６で結束する方式なので、可撓性配管１０Ｂがどの方向から床上に配管されていても仮支持でき且つ施工途中で外れることもない。
【００１１】
また、上記配管仮支持手段４は、床パン支持部３側に固定され、床上に転がし配管される可撓性配管１０Ｂの先端部が上方から引っ掛け支持される配管固定用フック８で構成されているのが好ましく、この場合、可撓性配管１０Ｂの先端部を上方から引っ掛け支持する方式なので、可撓性配管１０Ｂがどの方向から床上に配管されていても簡単に仮支持できると共に、可撓性配管１０Ｂの先端部を上に引き上げない限り、施工途中で外れることもない。
【発明の効果】
【００１２】
本発明は、床上の配管の先端部を浴室床パンに設けた配管用貫通孔に対応した下方位置で仮支持することにより、浴室床パンを枠体の床パン支持部上に据え付けるだけで、仮支持された配管の先端部が必ず浴室床パンの配管用貫通孔の真下に位置するようになり、配管用貫通孔の上方への引き上げが容易となる。従って、従来のように浴室床パンの据え付け時に浴室床パンの上方から非可撓性配管の立ち上げ位置が正しい位置にあるかどうかの確認や事前の寸法取り作業を行なう必要がなくなり、施工性が大幅に向上する。そのうえ、浴室床パンに従来のように腕を通すことができる大きな開口部を設けたり、或いは開口部の傍らに腕を通すことができる大型の点検口を設けたりする必要もなくなり、浴室床パンの設計の自由度が飛躍的に向上する。
【発明を実施するための最良の形態】
【００１３】
以下、本発明を添付図面に示す実施形態に基いて説明する。
【００１４】
図１は浴槽床パン１Ａの配管用貫通孔２に床上からの配管１０の上端部が貫通した状態を示し、図２は配管仮支持手段４を構成する筒状部５の一例を示し、図３は筒状部５に配管１０の上端部を仮支持した状態を示し、図４は図１の配管用貫通孔２付近の側面断面図である。
【００１５】
本実施形態の浴槽側の枠体６０は、洗い場床パン１Ｂと隣接配置され、床上に沿って配置された配管１０を通す配管用貫通孔２が設けられた浴槽床パン１Ａを支持する床パン支持部３と、床上に沿って配置される配管１０の先端部１０ａを仮支持する配管仮支持手段４とを一体に備えている。
【００１６】
上記床パン支持部３は、平面視四角枠状に形成され、側面部分３ａに配管仮支持手段４が設けられている。
【００１７】
配管仮支持手段４は、図２、図３に示すように、浴槽床パン１Ａに設けた配管用貫通孔２に対応した下方位置に配設される筒状部５と、該筒状部５を床パン支持部３の側面部分３ａに固定する固定具９とで構成されている。筒状部５は配管１０の先端部１０ａの外径寸法より若干大きめで垂直方向に開口したパイプ形状をしている。
【００１８】
本例の固定具９は、図２に示すように、床パン支持部３の側面部分３ａにネジ固定される固定部１１の左右両端から外側方に向かって左右一対のアーム１２が略平行に突設され、各アーム１２の先端にそれぞれ筒状部５が取り付けられている。なお、床パン支持部３の側面部分３ａのコーナー部３ｂ側に位置する固定具９ａは、コーナー部３ｂ側のアーム１２が短く形成されており、この短いアーム１２に取り付けられる筒状部５を浴槽床パン１Ａのコーナー部に位置する配管用貫通孔２ａと対向させている。本例では浴槽床パン１Ａを床パン支持部３に据え付けたときに筒状部５が浴槽床パン１Ａの底面と干渉することなく一定の隙間があく程度の高さ位置に配置されている。
【００１９】
ここでは、床上に配置される配管１０が、浴槽側及び洗い場側の給水・給湯管をそれぞれ構成する４本の立ち上げ配管される非可撓性配管１０Ａ（図３）であり、これに合わせて筒状部５が４つ、浴槽床パン１Ａに配管用貫通孔２が４つ設けられている。非可撓性配管１０Ａとしては鋼管、或いは硬質の樹脂管等でもよい。
【００２０】
次に施工手順の一例を説明する。
【００２１】
浴槽床パン１Ａの左右両端部には、それぞれ、図２に示すように、配管用貫通孔２が形成可能な４個１組の被加工部６１が設けられており、現場の配管位置に応じて孔明けする４個１組の被加工部６１を選んでホールソーで孔明け加工して、浴槽床パン１Ａのいずれか一端部側に４つの配管用貫通孔２を予め形成しておく。
【００２２】
先ず、枠体６０を床上に設置する。このとき床上から自立的に立ち上がる４本の非可撓性配管１０Ａの上端部を、床パン支持部３の側面部分３ａに取り付けた４個の筒状部５内にそれぞれ通す（図３の状態）。これにより非可撓性配管１０Ａの上端部が筒状部５にて仮支持されて、施工途中で各非可撓性配管１０Ａの立ち上げ位置が動いてしまうことがない。その後、浴槽床パン１Ａを上方から枠体６０の床パン支持部３上に載置する。このとき、筒状部５で仮支持された非可撓性配管１０Ａの上端部が必ず浴槽床パン１Ａの配管用貫通孔２を貫通して、浴槽床パン１Ａの上方に突出した状態（図１、図４の状態）となる。その後、浴槽床パン１Ａの上方で通常通りの配管接続作業を行なう。
【００２３】
しかして、上記構成の枠体６０上に浴槽床パン１Ａを据え付けるだけで、浴槽床パン１Ａの配管用貫通孔２に非可撓性配管１０Ａの上端部が貫通するので、浴槽床パン１Ａの上方から非可撓性配管１０Ａの立ち上げ位置が正しい位置にあるかどうかの確認や事前の寸法取り作業を行なう必要がなくなり、施工性が大幅に向上する。
【００２４】
また、浴槽床パン１Ａに従来のように腕を通すための大きな開口部５０（図１２）や大型の点検口５１（図１２）を設ける必要がないため、浴槽床パン１Ａの設計の自由度が飛躍的に向上する。
【００２５】
また本例では、非可撓性配管１０Ａを仮支持する配管仮支持手段４が筒状部５で構成されるので、簡易な構造で仮支持が可能となると共に施工途中で外れることも確実に防止できる。
【００２６】
なお本例では、鋼管や硬質樹脂管のような立ち上げ配管される非可撓性配管１０Ａを例に挙げたが、例えば床上に転がり配管される折曲げ可能な可撓性配管の先端部を筒状部５の下方から差し込んで保持する場合にも同様に適用可能である。
【００２７】
図５〜図１０は同上の配管仮支持手段４の他の実施形態を示す。本例の配管仮支持手段４は、図６に示すように、床上に転がし配管される可撓性配管１０Ｂの先端部に結束される配管固定用バンド６と、配管固定用バンド６を床パン支持部３の側面部分３ａに固定する固定具９（９ａ）と、浴槽床パン１Ａ（図１参照）の配管用貫通孔２の上方から該配管固定用バンド６の結束解除を可能にするバンド結束具７とで構成されている。なお可撓性配管１０Ｂとしてフレキシブルな樹脂管を用いる。
【００２８】
本例の固定具９（９ａ）は、床パン支持部３の側面部分３ａにネジ固定される固定部１１の左右両端から外側方に向かって左右一対のアーム１２が略平行に突設され、各アーム１２の先端には内方に向けて平面視略Ｌ字形に屈曲したピン差込部１５がそれぞれ形成されている。図９は床パン支持部３の側面部分３ａのコーナー部３ｂ側に位置する固定具９ａを示しており、このコーナー部３ｂ側のアーム１２ａを短く形成することで、この短いアーム１２に取り付けられるピン差込部１５を浴槽床パン１Ａのコーナー部に設けられる配管用貫通孔２ａ（図２参照）と対向させている。図１０は床パン支持部３の側面部分３ａの中央側に位置する固定具９を示している。
【００２９】
上記配管固定用バンド６は、図８に示すように、箱状のバンド付け根部２０の上端に、上記固定具９（９ａ）のピン差込部１５にネジ固定される固定片２１が突設され、バンド付け根部２０の内部には、該固定片２１よりも前方位置で上方に開口した上穴２２と、該上穴２２の下端と連通し且つバンド付け根部２０の両側面にそれぞれ開口した横貫通穴２３とが設けられ、バンド付け根部２０の一側面には、横貫通穴２３よりも上方位置から折り曲げ可能なバンド部２４が延出されており、バンド部２４の付け根側から先端側に亘って上方に開口した結束用ピン穴２５が多数穿孔されている。
【００３０】
一方、バンド結束具７は、図６に示すように、手で掴む掴み部２６と、バンド付け根部２０の上穴２２から差し込まれ、さらに横貫通穴２３を貫通するバンド部２４のいずれか１つの結束用ピン穴２５まで差し込まれるバンド側差込ピン２８と、固定具９のピン差込部１５に上方から差し込まれる固定具側差込ピン２７とが、略ｈ形に一体形成されている。
【００３１】
先ず、床上に枠体６０を設置した後に、床上に転がし配管されている可撓性配管１０Ｂの先端部を配管固定用バンド６に結束する。つまり、図６、図７（ａ）に示すように、バンド部２４の先端側をバンド付け根部２０の横貫通穴２３に通し、輪の中に可撓性配管１０Ｂの先端部を挿入した状態で、バンド部２４を引っ張って締め付けて、バンド結束具７の固定具側差込ピン２７を図７（ｂ）の矢印方向に、固定具９のピン差込部１５に差し込むと、同時にバンド側差込ピン２８を上方からバンド付け根部２０の上穴２２からその真下に位置する１つの結束用ピン穴２５に差し込むことで、配管固定用バンド６が可撓性配管１０Ｂの先端部を結束した状態で保持される（図７（ｂ）の状態）。
【００３２】
その後、浴槽床パン１Ａを枠体６０上に据え付ける。このとき、浴槽床パン１Ａの配管用貫通孔２の下方位置に配管固定用バンド６にて仮支持された可撓性配管１０Ｂの先端部が対向配置されるので、配管用貫通孔２の上から手で可撓性配管１０Ｂの先端部を掴みながら、図７（ｃ）の矢印方向にバンド結束具７の掴み部２６を手で引き上げると、バンド結束具７の固定具側差込ピン２７が固定具９のピン差込部１５から引き抜かれ同時にバンド側差込ピン２８が上穴２２から引き抜かれることによって、配管固定用バンド６の結束が解除され、可撓性管１０Ｂの先端部を配管用貫通孔２の上方に引き上げ可能となる。
【００３３】
しかして、バンド結束具７による配管固定用バンド６の結束を解除しない限り、可撓性配管１０Ｂの先端部が施工途中で外れてしまうことがない。しかも、配管固定用バンド６で結束する方式なので、可撓性配管１０Ｂがどの方向から床上に配管されていても対応できる。さらにバンド結束具７を横幅の狭いｈ字形に形成することで、バンド結束具７が配管用貫通孔２と干渉しないようにして、配管用貫通孔２の上方向への引き上げ作業が容易にできる利点もある。
【００３４】
図１１は同上の配管仮支持手段４の更に他の実施形態を示す。本例の配管仮支持手段４は、床上に転がし配管される可撓性配管１０Ｂの先端部が上方から引っ掛け支持される配管固定用フック８と、該配管固定用フック８を床パン支持部３の側面部分３ａに固定する固定具９とで構成されている。
【００３５】
本例では、図５の実施形態で用いた固定具９のピン差込部１５を配管固定用フック８として兼用する。一方、可撓性配管１０Ｂの先端部にはマスキングテープ３０で上方に突出する掴み片３１と鉤型の係止ピン３２の一端部とが取り付けられ、係止ピン３２の他端部は下向きに突出した状態で保持される。なお係止ピン３２に限らず、可撓性配管１０Ｂの先端部に配管固定用フック８に上方から引っ掛け支持される部位を備えているものであればよい。
【００３６】
床上に枠体６０を設置した後に、係止ピン３２を配管固定用フック８に上方から差し込むだけで、可撓性配管１０Ｂの先端部を配管固定用フック８に引っ掛け支持することができる。その後、浴槽床パン１Ａを枠体６０上に据え付ける。このとき、浴槽床パン１Ａを据え付けた状態で掴み片３１が配管用貫通孔２の真下に位置する構成或いは配管用貫通孔２の上方に突出する構成のいずれであってもよい。そして、掴み片３１を手で引き上げて浴槽床パン１Ａ上方に可撓性配管１０Ｂの先端部を引き出した後で、マスキングテープ３０を剥がして掴み片３１と係止ピン３２とを取り外してから、可撓性配管１０Ｂの配管作業を行なう。
【００３７】
しかして、配管固定用フック８に上方から引っ掛け支持する方式によって、可撓性配管１０Ｂの先端部の仮支持を簡単に行なえると共に、浴槽床パン１Ａの配管用貫通孔２の下方位置に配管固定用フック８で引っ掛け支持された可撓性配管１０Ｂの先端部を対向させることができ、配管用貫通孔２の上から手を入れて掴み片３１を掴んで引き上げるだけで、可撓性管１０Ｂの先端部を配管用貫通孔２から引き上げることができる。しかも施工途中では可撓性配管１０Ｂの先端部を上に引き上げない限り、可撓性配管１０Ｂの先端部が外れてしまうことがない。そのうえ可撓性配管１０Ｂがどの方向から床上に配管されていても可撓性配管１０Ｂの先端部を配管固定用フック８に引っ掛け支持できる利点もある。
【００３８】
前記実施形態では浴室床パン支持用枠体として、浴槽床パン１Ａを支持する枠体６０を例示したが、洗い場床パン１Ｂを支持する枠体にも同様に適用できるものである。
【図面の簡単な説明】
【００３９】
【図１】本発明の一実施形態に用いる浴槽床パンの配管用貫通孔に床上から立ち上げ配管された配管の上端部が貫通した状態を示す斜視図である。
【図２】同上の配管仮支持手段を構成する筒状部の一例を示す斜視図である。
【図３】同上の筒状部に配管の上端部を仮支持した状態を示す斜視図である。
【図４】同上の配管用貫通孔付近の側面断面図である。
【図５】本発明の他の実施形態に用いる固定具を説明する斜視図である。
【図６】同上の固定具に取り付けた配管固定用バンドとバンド結束具とによって配管仮支持手段を構成する場合を説明する斜視図である。
【図７】（ａ）は同上の配管固定用バンドの平面図、（ｂ）は同上のバンド結束具で配管固定用バンドを結束した状態の側面図、（ｃ）は同上のバンド結束具を引き上げて配管固定用バンドの結束を解除した状態の側面図である。
【図８】（ａ）（ｂ）は同上の配管固定用バンドの側面図、平面図である。
【図９】（ａ）は同上の床パン支持部の側面部分のコーナー部側に配置される固定具の側面図、（ｂ）は平面図、（ｃ）は正面図である。
【図１０】（ａ）は同上の床パン支持部の側面部分の中央側に配置される固定具の側面図、（ｂ）は平面図、（ｃ）は正面図である。
【図１１】本発明の更に他の実施形態の斜視図である。
【図１２】従来例の説明図である。
【符号の説明】
【００４０】
１  浴室床パン
１Ａ  浴槽床パン
２  配管用貫通孔
３  床パン支持部
４  配管仮支持手段
５  筒状部
６  配管固定用バンド
７  バンド結束具
８  配管固定用フック
９  固定具
１０  配管
１０ａ  先端部
１０Ａ  非可撓性配管
１０Ｂ  可撓性配管
６０  枠体
【図１】
2010144488.tif 000003
【図２】
2010144488.tif 000004
【図３】
2010144488.tif 000005
【図４】
2010144488.tif 000006
【図５】
2010144488.tif 000007
【図６】
2010144488.tif 000008
【図７】
2010144488.tif 000009
【図８】
2010144488.tif 000010
【図９】
2010144488.tif 000011
【図１０】
2010144488.tif 000012
【図１１】
2010144488.tif 000013
【図１２】
2010144488.tif 000014